(57)【要約】【課題】スプールやフランジ等を用いずに、簡易な構成と簡易な操作方法によってロール紙を保持できるロール紙保持装置を提供する。【解決手段】ロール紙保持装置１０は、受け部材３、保持部材４、導入部材５を備え、第１姿勢においては、受け部材３がロール紙の軸方向両端近傍を受ける姿勢をとる。第１姿勢において、ロール紙１が外力（自重や操作者による押圧）を受けると、ロール紙１が受け部材３を押圧して、受け部材３が垂直方向に立ち上がる。これにより導入部材５がロール紙１の紙管２に内嵌し、さらに受け部材３の姿勢が垂直方向までになると、保持部材４がロール紙１の紙管２に内嵌して、ロール紙１が回動可能に保持される。【選択図】図１
2010058949.tif 000002
【特許請求の範囲】
【請求項１】
用紙がロール状に巻かれたロール紙の軸方向両端近傍の外周面の少なくとも一部を受けることができる受け部と、
その受け部と連結して形成され、ロール紙の軸方向両端を、ロール紙が回動可能となるように保持する第１保持部と、
前記受け部と前記第１保持部とを一体に姿勢変更可能に保持する第２保持部と、
を備え、
前記受け部がロール紙の軸方向両端の外周面の少なくとも一部を受け、前記第１保持部が前記ロール紙を保持していない姿勢を第１姿勢とし、
前記受け部がロール紙の軸方向両端の外周面を受けず、前記第１保持部が前記ロール紙の軸方向両端をロール紙が回動可能となるように保持する姿勢を第２姿勢として、
前記第２保持部により保持された前記受け部と第１保持部とは、前記第１姿勢において前記ロール紙が外力を受けることで前記受け部を押圧して前記第２姿勢へ移行可能であることを特徴とするロール紙保持装置。
【請求項２】
前記受け部において前記ロール紙の軸方向両端近傍の外周面の少なくとも一部に当接する部分は、前記ロール紙の外周面の形状に沿った曲面の表面形状を有する請求項１に記載のロール紙保持装置。
【請求項３】
前記ロール紙は軸中心の少なくとも軸方向両端に空洞部を有し、
前記第１保持部は前記第２姿勢において前記ロール紙の前記空洞部に内嵌し、
前記第１保持部は前記ロール紙の前記空洞部への内嵌を誘導する誘導部を備えた請求項１又は２に記載のロール紙保持装置。
【請求項４】
前記第１保持部あるいは、前記第１保持部における前記誘導部は取り外し可能に配置された請求項１ないし３のいずれか一項に記載のロール紙保持装置。
【発明の詳細な説明】
【技術分野】
【０００１】
本発明は、ロール紙保持装置に関する。
【背景技術】
【０００２】
複写機、プリンタ、ＦＡＸ等の画像形成装置においてはロール紙に印刷を行う場合がある。従来、ロール紙を複写機、プリンタ、ＦＡＸ等の紙送り機構を有する装置に用いるロール紙保持装置にセットする際の保持方式としては、（１）ロール紙サイズの全幅に対応したスプールを紙管内径に挿入する方式、（２）装置内にロール紙を両側から挟み込むペーパーホルダを設ける方式(下記特許文献１等)、（３）あらかじめロール紙の両端にフランジを付けておき装置内にセットする方式(下記特許文献２等)等が主に実施、提案されている。
【０００３】
【特許文献１】実開平４−４００５４号公報
【特許文献２】実開昭６４−４３０４８号公報
【発明の開示】
【発明が解決しようとする課題】
【０００４】
（１）の方式は、ロール紙給送時の軸芯のぶれが少なく、搬送品質は最も安定している。しかし複写機で扱うロール紙（３６インチ）まで対象とした場合、スプールの長さが１ｍ近くになり、スプールをロール紙に挿入する際に取扱いが困難である。
【０００５】
（２）の方式は、ロール紙のセット方式としては、最も簡便であると思われる。しかしペーパーホルダを紙管に確実に嵌合するための機構が複雑になってしまう。（３）の方式は、フランジを機外で脱着するため、（２）の方式に示すような問題はない。しかしフランジを介してロール紙が装置にセットされるため、フランジがロール紙の軸芯に対して傾いて装着されていると、搬送品質が低下してしまう。加えて、フランジの脱着の作業が面倒である。
【０００６】
以上のとおり従来技術には一長一短があり、こうした従来技術の問題点を克服するロール紙保持装置の開発が求められる。
【０００７】
そこで本発明が解決しようとする課題は、上記問題点に鑑み、スプールやフランジ等を用いずに、簡易な構成と簡易な操作方法によってロール紙を確実に保持できるロール紙保持装置を提供することにある。
【課題を解決するための手段及び発明の効果】
【０００８】
上記課題を達成するために、本発明に係るロール紙保持装置は、用紙がロール状に巻かれたロール紙の軸方向両端近傍の外周面の少なくとも一部を受けることができる受け部と、その受け部と連結して形成され、ロール紙の軸方向両端を、ロール紙が回動可能となるように保持する第１保持部と、前記受け部と前記第１保持部とを一体に姿勢変更可能に保持する第２保持部と、を備え、前記受け部がロール紙の軸方向両端の外周面の少なくとも一部を受け、前記第１保持部が前記ロール紙を保持していない姿勢を第１姿勢とし、前記受け部がロール紙の軸方向両端の外周面を受けず、前記第１保持部が前記ロール紙の軸方向両端をロール紙が回動可能となるように保持する姿勢を第２姿勢として、前記第２保持部により保持された前記受け部と第１保持部とは、前記第１姿勢において前記ロール紙が外力を受けることで前記受け部を押圧して前記第２姿勢へ移行可能であることを特徴とする。
【０００９】
これにより本発明に係るロール紙保持装置では、ロール紙を受ける受け部とロール紙を回動可能に保持する第１保持部と、受け部と第１保持部を保持する第２保持部を備えて、ロール紙が外力を受けることにより受け部を押圧して、受け部がロール紙を受ける第１姿勢から第１保持部がロール紙を保持する第２姿勢へと移行できる。よって簡易な構成と簡易な操作方法によって、ロール紙を保持していない状態から、ロール紙を回動可能に保持する状態へ移行できるロール紙保持装置が実現できる。本発明ではスプールを用いないので、当然上記のようなスプールをロール紙に挿入する煩雑な作業が不要である。またフランジも用いないので、上記のようなフランジが傾いてセットされた際の不具合も発生しない。
【００１０】
また前記受け部において前記ロール紙の軸方向両端近傍の外周面の少なくとも一部に当接する部分は、前記ロール紙の外周面の形状に沿った曲面の表面形状を有するとしてもよい。
【００１１】
これにより受け部においてロール紙と当接する部分は、ロール紙と同様の曲面形状を有するので、外力を受けたロール紙が受け部を押圧する際に、力の伝達がより確実に行われる。したがって第１姿勢から第２姿勢への移行を、より円滑かつ確実におこなうことが可能となる。
【００１２】
また前記ロール紙は軸中心の少なくとも軸方向両端に空洞部を有し、前記第１保持部は前記第２姿勢において前記ロール紙の前記空洞部に内嵌し、前記第１保持部は前記ロール紙の前記空洞部への内嵌を誘導する誘導部を備えたとしてもよい。
【００１３】
これにより第１保持部は第２姿勢においてロール紙の軸に内嵌するとともに、第１保持部はその内嵌を誘導する誘導部を備えるので、第１保持部は確実にロール紙を保持することができる。また第１姿勢から第２姿勢への移行がより円滑となる。
【００１４】
また前記第１保持部あるいは、前記第１保持部における前記誘導部は取り外し可能に配置されたとしてもよい。
【００１５】
これにより第１保持部あるいは誘導部は取り外し可能なので、異なる紙管のロール紙でも保持することができる。よって上記構成と相まって、簡易な構成と操作方法でロール紙を保持できるとともに、異なる紙管のロール紙でも保持することができるロール紙保持装置が構成できる。
【発明を実施するための最良の形態】
【００１６】
以下、本発明の実施形態を図面を参照しつつ説明する。まず図１、２は、本発明の一実施形態に係わるロール紙保持装置１０の斜視図である。
【００１７】
ロール紙１は長尺の用紙が紙管２にロール状に巻かれて形成されている。ロール紙保持装置１０は、ロール紙受け部材３（受け部材）、保持部材４、導入部材５を備える。図３、４には受け部材３と保持部材４との２つの姿勢が示されている。受け部材３と保持部材４との図３における姿勢を第１姿勢、図４の姿勢を第２姿勢とする。図５、６にはロール紙保持装置１０の拡大図が示されている。受け部材３と保持部材４とは、支点６を中心に回動することにより第１姿勢と第２姿勢との間を移行することができる。支点６は具体的には例えば蝶番状部材における回転軸とし、蝶番状部材により適当な場所（プリンタ、複写機、ファクシミリ等におけるロール紙保持装置１０を配置する場所）にロール紙保持装置１０を支点６を中心に回動可能に固定すればよい。
【００１８】
第１姿勢から第２姿勢への移行を説明する。ロール紙１を受けるためにロール紙１と同じ円形状に加工したロール紙受け部材３にロール紙１を設置すると（図３）、ロール紙１が外力を受けたことによって（ここで外力とは例えば自重、あるいはロール紙１の図示上方向から例えば操作者が加えた力）、受け部材３は図示垂直方向に倒れ始め、同時に受け部材３と連結した保持部材４がロール紙１の両側面から回動し垂直方向に立ち上がり始める。保持部材４が垂直方向に立ち上がり始めると保持部材４に設置した導入部材５がロール紙１の紙管２に嵌り、そして受け部材３が垂直方向に９０度倒れこむと保持部材４がロール紙１の紙管２に嵌りこみロール紙１を保持する(図４)。
【００１９】
ロール紙１の受け部材３と保持部材４は図５のように直接的に連結させ支点６を設ける事によって、ロール紙１の自重及びロール紙１上方向から加わる外力を受け部材３から保持部材４へ支点６を中心に梃子の原理で伝達させる事ができる。ロール紙１の紙管２へ保持部材を挿入するには支点６から保持部材４の中心までの距離ａをロール紙１の半径より小さい値に設定にする必要がある。また、受け部材３の長さｂは短すぎると保持部材４を立ち上がらせるために必要な力を得る事ができないので、支点６から保持部材４の中心までの距離ａよりも大きい値に設定するのが良い。また図５のように弾性体(つるまきバネ等)７を設置すると受け部材３から保持部材４に伝わる力を微調整する事ができる。当然弾性体７の一端はプリンタ、複写機、ファクシミリ等における適当な場所に固定すればよい。
【００２０】
ロール紙１を受けるための受け部材３の形状としては図６のようにロール紙１の表面形状と同様の円形状にすると、ロール紙１の設置、すなわち第１姿勢から第２姿勢へ移行する際の力の伝達を確実に行うことに適している、また受け部材３の円形の半径Ｒとしてはロール紙１の紙満載時の紙サイズの半径に設定し、弧の中心角は１００度から１５０度ほどまでの間、望ましくは１２０度ぐらいがロール紙１の設置に良適である。
【００２１】
保持部材４に設置する導入部材５の形状は図２のように円筒状が好適であり、図７のように保持部材４と同心の位置に設置する。導入部材５の軸直交断面の半径Ｒ１は保持部材４の半径Ｒ２に対して近い値であると（例えばＲ１＝Ｒ２）、ロール紙１の紙管２への挿入が困難になる。また保持部材４に対して小さ過ぎると(Ｒ１＜Ｒ２)、同様にロール紙１の紙管２への挿入が困難になり加えてロール紙１の自重によって導入部材５が破損する恐れがある。導入部材５の半径としてはＲ１＝１／２＊Ｒ２に設定すると良い（＊は積）。導入部材５の高さｈについてはロール紙１の半径を考慮し、紙管２への挿入に適した値にすると好適である。
【００２２】
また図２等に示されているように、保持部材４の外周面には周方向に等間隔に凸部４ａが形成されている。この凸部４ａによって保持部材４の紙管２への内嵌がより確実になる。さらに図２のとおり、導入部材５、保持部材４、凸部４ａの紙管２への導入方向先端部は角を丸く形成している。これにより導入部材５、保持部材４、凸部４ａの紙管２への導入がより容易になる。
【００２３】
図７に示されているように、保持部材４及び導入部材５は異なる径の紙管２に対応できるように交換可能とすればよい。保持部材４及び導入部材５の交換方式について、図７のように保持部材４を脱着可能な装着軸８に設置しても良いし、また２インチ紙管対応の保持部材及び導入部材に３インチ対応の保持部材及び導入部材を被せる事ができる方式をとっても良い。装着軸８には、保持部材４及び導入部材５の装着、交換が可能なように高さが設定された突起部８ａが形成されている。
【図面の簡単な説明】
【００２４】
【図１】本発明の実施例におけるロール紙保持装置の斜視図。
【図２】本発明の実施例におけるロール紙保持装置の斜視図。
【図３】第１姿勢を説明する図。
【図４】第２姿勢を説明する図。
【図５】ロール紙保持装置の拡大図。
【図６】ロール紙保持装置の拡大図。
【図７】ロール紙保持装置の拡大図。
【符号の説明】
【００２５】
１    ロール紙
２    紙管（空洞部）
３    ロール紙受け部材（受け部）
４    保持部材（第１保持部）
５    導入部材（誘導部）
６    支点（第２保持部）
７    つるまきバネ
８    装着軸
１０    ロール紙保持装置
【図１】
2010058949.tif 000003
【図２】
2010058949.tif 000004
【図３】
2010058949.tif 000005
【図４】
2010058949.tif 000006
【図５】
2010058949.tif 000007
【図６】
2010058949.tif 000008
【図７】
2010058949.tif 000009